(57)【要約】【課題】一つで数種類の横締め鋼管のいずれにも対応できかつ製作に多くの手間や費用が掛からないコンクリート型枠パネルの鉛直度調整具を提供する。【解決手段】挟着部材１はＬ型に屈曲して互いの対向面が直交する第一・二板部３，４を有し、第一板部３は所定の高さを有し、第二板部４には第三板部８が設けられ、該第三板部８に所定の高さ離れるようにして第一板部３の対向面と直交しかつ締付螺子１０を螺合する螺子孔９を貫設し、支持部材２は支持管１６を有し、その一端に固着されるナット１８に調整ボルト１７を進退自在に螺合し、調整ボルト１７の一端を挟着部材１に第三板部８側に設けられた接続機構１１を介して取着し、第一板部３と第二板部４との両対向面５，６に横締め鋼管Ｋを当接した状態で、第三板部８の螺子孔９に螺合した締付螺子１０の先端を横締め鋼管Ｋに押し当て、第一板部３と締付螺子１０とにより横締め鋼管Ｋを両側から締付固定する。【選択図】図１
2011058316.tif 000002
【特許請求の範囲】
【請求項１】
基礎面に配置固定されるコンクリート型枠パネルの外側面に水平に添設固定した横締め鋼管に一端が取着され、他端が前記基礎面に設置される作業用足場等の固定部材に取着され、前記コンクリート型枠パネルが鉛直に立設されるように調整するコンクリート型枠パネルの鉛直度調整具であって、前記横締め鋼管を挟む挟着部材と該挟着部材に接続される支持部材とからなり、
前記挟着部材はＬ型に屈曲して互いの対向面が直交する第一板部と第二板部とを有し、前記第一板部は前記第二板部の対向面から所定の高さを有し、前記第二板部には前記第一板部と対峙するようにして第三板部が設けられると共に該第三板部に前記第二板部の対向面から中心軸線が所定の高さ離れるようにして第一板部の対向面と直交する螺子孔が貫設され、前記螺子孔に締付螺子を螺合させ、
前記支持部材はパイプ状に形成される支持管を有し、前記支持管の一端にナットを固着すると共に該ナットに調整ボルトを進退自在に螺合し、前記調整ボルトの一端を前記挟着部材に前記第三板部側に設けられた接続機構を介して取着し、
前記第一板部と第二板部との両対向面に前記横締め鋼管の外周面を当接した状態で、前記第三板部の螺子孔に螺合した締付螺子の先端を前記横締め鋼管の外周面に押し当て、前記第一板部と前記締付螺子とにより前記横締め鋼管を両側から締付固定するようにしたことを特徴とするコンクリート型枠パネルの鉛直度調整具。
【請求項２】
前記第一板部の対向面に、溝幅方向の中心位置が第二板部の対向面から前記螺子孔に螺合する前記締付螺子の中心軸線と同じ高さ寸法となるようにして前記第二板部の対向面と平行な凹窪条部を設けた請求項１記載のコンクリート型枠パネルの鉛直度調整具。
【請求項３】
前記コンクリート型枠パネルの外側面に水平に添設固定した横締め鋼管に前記挟着部材を取着してなる状態で、前記支持部材が前記調整ボルトの一端側を中心として上下に回動するように軸支された請求項１又は２記載のコンクリート型枠パネルの鉛直度調整具。
【発明の詳細な説明】
【技術分野】
【０００１】
本発明は、複数のコンクリート型枠パネルを基礎面に壁状に組み立てる際に、前記コンクリート型枠パネルの外側面に横向きに添設固定される横締め鋼管に一端を取着し、他端を作業用足場等の固定部材に取着して、前記コンクリート型枠パネルを鉛直に立設するようにしたコンクリート型枠パネルの鉛直度調整具（以下、単に「調整具」という。）に関するものである。
【背景技術】
【０００２】
従来、例えば、コンクリート製の建物を建設する場合、仕切用の壁やベランダの壁といったコンクリート壁を成形するに所定の間隔離して複数のコンクリート型枠パネルを平行にかつ壁状に配置することになる。これに使用されるコンクリート型枠パネルは、通常、縦幅が１８００ｍｍ、横幅が９００ｍｍのベニヤ板の一側面に該ベニヤ板の強度を持たせるために、縦横に平行な桟木を固着して形成されている。
【０００３】
そこで、例えばベランダの壁を形成する場合の施工手順を説明すると、まず、前記コンクリート型枠パネルを平行にかつ壁状に並設し、この状態で互いに対向する平行な各コンクリート型枠パネル間に所定の幅が維持できるようにセパレータを張設する。このセパレータは、対向する各一対のコンクリート型枠パネル間に複数本張設される。また、コンクリート型枠パネルの外側面に、前記セパレータに対応して水平な横締め鋼管を複数本添設固定する。前記各セパレータの端部には、コンクリート型枠パネルの外側に突出する平行な二股状の腕片からなる金物が取着され、両腕片の先端に貫通する楔挿通孔が開設されている。次に、各金物の両腕片間に横締め鋼管を挿通すると共に、両腕片の楔挿通孔に楔を落とし込む。これによって、横締め鋼管がコンクリート型枠パネルの外側面に一体に固定される。更に、壁状に立設したコンクリート型枠の外側であって基礎面である床面に、固定部材としての抜きパイプを固着する。
【０００４】
そして、前記横締め鋼管と抜きパイプとの間に調整具を配置すると共に、それら両端部をそれぞれ横締め鋼管と抜きパイプに取着する。非特許文献１に示すように前記調整具は、前記横締め鋼管を挟む伸縮自在な挟着部材と該挟着部材に接続される丸パイプ状の支持部材とからなる。挟着部材の一端側に上下に二股状に延出する金属製の腕片が設けられ、両腕片に貫通する楔挿通孔が開設されている。横締め鋼管には、前記上下の腕片を該横締め鋼管に対して直交するようにして配置すると共に上下の腕片間に横締め鋼管を介入させるようにして押し込み、その状態で両楔挿通孔に上から楔を挿通することにより前記調整具の一端が取着される。また、調整具の他端である支持部材は、床面に固着した前記抜きパイプに連結される。
【０００５】
そこで、例えば、下げ振りを使用して各コンクリート型枠パネルの鉛直度を測定し、その結果に基づき前記調整具を伸縮させて各コンクリート型枠パネルの鉛直面に対する傾きがあれば直す。平行なコンクリート型枠の内、一方のコンクリート型枠が終了すれば、次に他方のコンクリート型枠を同様にして行なう。このようにして、コンクリート型枠を基礎面に鉛直状態で立設させるようにしている。その後、両コンクリート型枠間に生コンクリートを打設することになる。
【先行技術文献】
【非特許文献】
【０００６】
【非特許文献１】山本商会株式会社取扱商品、型枠用品、一発サポート＜Ｂ型＞、［ｏｎｌｉｎｅ］、［平成２１年８月２７日検索］、インターネット＜ＵＲＬ：ｈｔｔｐ：／／ｙａｍａｍｏｔｏ．ｂｕｎ．ｎｅ．ｊｐ／ｙａｍａｍｏｔｏ／ｓｈｏｗ．ｃｇｉ？ｐ＿ｃｄ＝Ｐ０００２００１４＞
【発明の概要】
【発明が解決しようとする課題】
【０００７】
しかしながら、前記横締め鋼管には、断面形状が正方形、長方形、円形と形状の異なるものが有り、しかも、断面形状が正方形のものにあっては大きさも異なる種々の形状のものが流通している。そこで、使用される横締め鋼管に合った形状・大きさの挟着部材を備えた調整具を数種類製作して揃えておき、その都度、横締め鋼管に合った調整具を選択してそれぞれを使い分けするようにしている。このため、横締め鋼管が変わるたびに、それに合った調整具を揃えねばならず、その選択が面倒であるばかりか複数種類の調整具を必要とすることから、それら多種類の調整具の製作に多くの面倒な手間や多くの制作費が掛かり、更に、それらは区別して保管しなければならず、管理も容易でないという課題がある。
【０００８】
そこで、本発明は前記課題を解決すべくなされたもので、断面形状が異なる数種類の横締め鋼管のいずれにも一つで対応でき容易に取着できるようにして、使い勝手がよく、しかも、製作に多くの手間が掛からず制作費も嵩むことがなく、管理も容易になる調整具を提供することを目的とするものである。
【課題を解決するための手段】
【０００９】
かかる目的を達成するため本発明の調整具は、基礎面に配置固定されるコンクリート型枠パネルの外側面に水平に添設固定した横締め鋼管に一端が取着され、他端が前記基礎面に設置される作業用足場等の固定部材に取着され、前記コンクリート型枠パネルが鉛直に立設されるように調整するコンクリート型枠パネルの鉛直度調整具であって、前記横締め鋼管を挟む挟着部材と該挟着部材に接続される支持部材とからなり、前記挟着部材はＬ型に屈曲して互いの対向面が直交する第一板部と第二板部とを有し、前記第一板部は前記第二板部の対向面から所定の高さを有し、前記第二板部には前記第一板部と対峙するようにして第三板部が設けられると共に該第三板部に前記第二板部の対向面から中心軸線が所定の高さ離れるようにして第一板部の対向面と直交する螺子孔が貫設され、前記螺子孔に締付螺子を螺合させ、前記支持部材はパイプ状に形成される支持管を有し、前記支持管の一端にナットを固着すると共に該ナットに調整ボルトを進退自在に螺合し、前記調整ボルトの一端を前記挟着部材に前記第三板部側に設けられた接続機構を介して取着し、前記第一板部と第二板部との両対向面に前記横締め鋼管の外周面を当接した状態で、前記第三板部の螺子孔に螺合した締付螺子の先端を前記横締め鋼管の外周面に押し当て、前記第一板部と前記締付螺子とにより前記横締め鋼管を両側から締付固定するようにしたことを特徴とする。
【００１０】
この際、前記第一板部の対向面に、溝幅方向の中心位置が第二板部の対向面から前記螺子孔に螺合する前記締付螺子の中心軸線と同じ高さ寸法となるようにして前記第二板部の対向面と平行な凹窪条部を設けることが好ましい。
【００１１】
また、前記コンクリート型枠パネルの外側面に水平に添設固定した横締め鋼管に前記挟着部材を取着してなる状態で、前記支持部材が前記調整ボルトの一端側を中心として上下に回動するように軸支されることが好ましい。
【発明の効果】
【００１２】
本発明に係る調整具は、横締め鋼管を挟む挟着部材と該挟着部材に接続される支持部材とからなり、挟着部材はＬ型に屈曲して互いの対向面が直交する第一板部と第二板部とを有し、第一板部は第二板部の対向面から所定の高さを有し、第二板部には第一板部と対峙するようにして第三板部が設けられると共に該第三板部に第二板部の対向面から中心軸線が所定の高さ離れるようにして第一板部の対向面と直交する螺子孔が貫設され、螺子孔に締付螺子を螺合させ、支持部材はパイプ状に形成される支持管を有し、支持管の一端にナットを固着すると共に該ナットに調整ボルトを進退自在に螺合し、調整ボルトの一端を挟着部材に第三板部側に設けられた接続機構を介して取着する。そして、第一板部と第二板部との両対向面に横締め鋼管の外周面を当接した状態で、第三板部の螺子孔に螺合した締付螺子の先端を横締め鋼管の外周面に押し当て、第一板部と締付螺子とにより横締め鋼管を両側から締付固定するようにしたので、円形状や長方形状といった断面形状の異なる横締め鋼管のいずれにも支障なく容易に取着できるという効果がある。しかも、一つの調整具で複数の横締め鋼管に取着できることから、製作に多くの面倒が掛からず、制作費も低廉に成し得る。また、一種類しかないので、その管理も容易であるという効果がある。
【００１３】
また、第一板部の対向面に、溝幅方向の中心位置が第二板部の対向面から螺子孔に螺合する締付螺子の中心軸線と同じ高さ寸法となるようにして第二板部の対向面と平行な凹窪条部を設けるようにすれば、断面形状が円形の横締め鋼管に挟着した場合、該横締め鋼管の外周面の一部が凹窪条部内に嵌まり込み、使用中に横締め鋼管から調整具が外れる心配がなく安全であるという効果がある。
【００１４】
更に、コンクリート型枠パネルの外側面に水平に添設固定した横締め鋼管に挟着部材を取着してなる状態で、支持部材が調整ボルトの一端側を中心として上下に回動するように軸支すれば、支持部材が水平面に対し自在に傾斜するようになり、使い勝手が良いという効果がある。
【図面の簡単な説明】
【００１５】
【図１】本発明に係る調整具の斜視図。
【図２】同分解斜視図。
【図３】同側面断面図。
【図４】同使用状態を示す側面図。
【図５】同要部を示す一部拡大断面図。
【図６】（イ）（ロ）（ハ）は同断面の異なる横締め鋼管に取着した状態の断面図。
【図７】他の調整具の分解斜視図。
【図８】（イ）（ロ）（ハ）（ニ）は同使用状態を示す一部拡大断面図。
【図９】他の調整具の斜視図。
【図１０】同分解斜視図。
【発明を実施するための形態】
【００１６】
以下、本発明に係る調整具の最良の実施の形態を図面に基づき詳しく説明する。図１は本発明に係る調整具の斜視図、図２は同分解斜視図、図３は同側面断面図である。調整具Ａは、後記する横締め鋼管Ｋに挟んで取着される挟着部材１と該挟着部材１に接続される支持部材２とからなる。
【００１７】
前記挟着部材１は、金属製であって、Ｌ型に屈曲して互いに向き合い隣り合う面、すなわち対向面５，６が直交する第一板部３と第二板部４とを有する。第一板部３は、第二板部４の対向面６から所定の高さを有する。この所定の高さとは、少なくとも横締め鋼管Ｋである後記する断面円形状の鋼管Ｋ３の半径以上の寸法を必要とする。また、第一板部３の対向面５に、第二板部４の対向面６と平行な凹窪条部７が形成される。該凹窪条部７には横締め鋼管Ｋである断面円形状の鋼管Ｋ３の外周面の一部が嵌まり込むようになっており、その長手方向に沿った中心線Ｏ１は、第二板部４の対向面６から所定の寸法離れた位置、すなわち、第二板部４の対向面６から２５ｍｍ離れた位置にある。
【００１８】
第二板部４の対向面６に、第一板部３と所定の間隔離し対峙するようにして同じ側へ突出する平行な第三板部８が一体に設けられている。第一板部３と第三板部８との間に、横締め鋼管Ｋを介在させることになる。該第三板部８に第一板部３の対向面５と直交するようにして螺子孔９が開設され、該螺子孔９に頭部を第三板部８の外側に位置させるようにして締付螺子１０が螺合される。該螺子孔９、すなわち、締付螺子１０の中心軸線Ｏ２は第二板部４の対向面６から２５ｍｍ離れた位置にあり、しかも、第一板部３の対向面５に対して直交するようになっている。
【００１９】
第三板部８の外側、すなわち、第一板部３とは反対側に支持部材２を接続するための接続機構１１が設けられる。該接続機構１１は、同じ形状をなしかつ第三板部８の両側にそれぞれ固着される一対の取付板１１ａ，１１ａと、各取付板１１ａにおいて第二板部４から離れた位置に直線上で合致するように開設した透孔１２，１２に遊嵌される差込ボルト１１ｂと、取付板１１ａの外側で該差込ボルト１１ｂに螺締する締付ナット１１ｃと、平面コ字型に形成され主板１３ａの両側から延設される一対の側板１３ｂ，１３ｂに開設された通孔１４，１４に前記差込ボルト１１ｂが遊嵌され主板１３ａの中央に保持孔１５が開設されたコ字型金具１１ｄと、から構成されている。
【００２０】
コ字型金具１１ｄは、差込ボルト１１ｂが遊嵌された状態で両取付板１１ａ，１１ａの内側に位置しており、差込ボルト１１ｂに対し直交する面内で差込ボルト１１ｂを中心として自在に回動するようになっている。主板１３ａの保持孔１５には、支持部材２の後記する調整ボルト１７が遊嵌される。
【００２１】
前記支持部材２も金属製であって、両端が開放される円筒パイプ状の支持管１６を有し、該支持管１６内に調整ボルト１７が進退自在に挿通されることになる。すなわち、支持管１６の中心軸に沿った一端にナット１８が固着され、該ナット１８に前記調整ボルト１７が螺合される。該調整ボルト１７は、一端に胴部より太径の皿状頭部１７ａを有する。該皿状頭部１７ａの直径は、前記コ字型金具１１ｄの保持孔１５の内径より大径に設定されている。該皿状頭部１７ａより少し離れて、その中心軸に対して直交するように回動腕１９が設けられている。この回動腕１９を中心軸に対して直交する面内で回動させることにより、調整ボルト１７が支持管１６に対して進退動する。該調整ボルト１７を接続機構１１の両取付板１１ａ，１１ａ間に軸着したコ字型金具１１ｄの保持孔１５に遊嵌し、皿状頭部１７ａを主板１３ａの内側に位置させた状態で、調整ボルト１７を支持管１６のナット１８に螺合させることにより、挟着部材１と支持部材２とが連結される。
【００２２】
本発明に係る調整具Ａは上記構成からなり、次にその使用方法を説明する。図４は本発明に係る調整具の使用状態を示す側面図、図５は同要部を示す一部拡大断面図である。図中、ＰＷは、基礎面である床面Ｂ上に複数のコンクリート型枠パネルＰを対向位置させて、しかも、所定間隔離し平行かつ壁状に列設したコンクリート型枠であり、その一側に該壁状のコンクリート型枠ＰＷに沿って固定部材として工事用の足場ＡＳが組まれる。基礎面は土面も含まれる概念である。
【００２３】
コンクリート型枠ＰＷを構成するコンクリート型枠パネルＰは、例えば横９００ｍｍ、縦１８００ｍｍの平板Ｊの一側面に周囲を囲うように桟木Ｌを固定し、更に、長手方向に沿って等間隔に複数の縦杆Ｔを添設固定して形成される。そして、これらコンクリート型枠パネルＰを、床面Ｂ上に縦向きにして所定の間隔（コンクリート壁の厚み寸法）離し平行に対向位置させると共に壁状に並設する。この際、隣接するコンクリート型枠パネルＰ，Ｐは、連結具（図示せず。）により連接される。また、コンクリート壁が成形される間隔を離し対向して配置したコンクリート型枠パネルＰ，Ｐとの間に、セパレータと称される金具Ｓが挿通され、前記所定の間隔が保持されるようにしている。各コンクリート型枠パネルＰの外側面には、上下方向に水平な横締め鋼管Ｋが添設固定される。これら各横締め鋼管Ｋは、前記セパレータＳにより固定される。そして、上部の横締め鋼管Ｋに本発明に係る調整具Ａが取着されることになる。
【００２４】
前記横締め鋼管Ｋは、図５に示すように断面形状が正方形であってその外周の一辺が５０ｍｍの寸法を有する。ところで、該横締め鋼管Ｋには、この他に図６（イ）に示すように断面形状が正方形であってその外周の一辺が６０ｍｍの鋼管Ｋ１、図６（ロ）に示すように断面形状が横長長方形であって外周の横寸法が６０ｍｍ、縦寸法が３０ｍｍの鋼管Ｋ２、図６（ハ）に示すように断面形状が円形であって外径寸法が４８ｍｍの鋼管Ｋ３といったように形状・寸法の異なる横締め鋼管Ｋが複数種類有る。
【００２５】
一方、前記足場ＡＳについては、コンクリート型枠ＰＷの壁面に対して直交する方向で所定の間隔離して一対の支柱Ｃ，Ｃを立設すると共に、これら一対の支柱Ｃ，Ｃをコンクリート型枠ＰＷの壁面と平行にかつ等間隔に配置する。そして、支柱Ｃ，Ｃ間にコンクリート型枠ＰＷの壁面に対して直交する方向と同方向及びコンクリート型枠ＰＷの壁面と平行な方向に横杆Ｙをそれぞれ横架して枠組みする。更に、コンクリート型枠ＰＷの壁面と平行な方向で一対の支柱Ｃ，Ｃ間に、作業者が足を乗せる踏み台Ｆを配置する。前記コンクリート型枠パネルＰは、下部がコンクリート釘（図示せず。）を床面Ｂに打ち込むことにより固定されると共に、下部の横締め鋼管Ｋと足場ＡＳの下部の横杆Ｙとの間にも複数の補強杆Ｈが差し渡され固定される。
【００２６】
そして、図５に示すように調整具Ａを横締め鋼管Ｋに対して直交状に位置させた状態で、該横締め鋼管Ｋにその下側から挟着部材１を被せ、第一板部３と第三板部８との間に横締め鋼管Ｋを介在させ該横締め鋼管Ｋの外周面をそれぞれ第一板部３と第二板部４の対向面５，６面に当接させる。この状態で、第三板部８の締付螺子１０を締め付け、その先端を横締め鋼管Ｋの外周面に当接させて螺締する。これにより、横締め鋼管Ｋが第一板部３と締付螺子１０とにより両側からしっかりと挟着され、挟着部材１が外れることなくしっかりと取着される。これに対し、支持部材２側は、図４に示すように支持管１６を足場ＡＳの支柱Ｃに直交状に沿わせ、その交差部をクランプＤにより着脱自在に取着する。詳しい説明は省略するが、このクランプＤは、直交状に交差する金属製の丸パイプを一体にしっかりと固定するものである。これら調整具Ａは、コンクリート型枠ＰＷの長手方向に沿って所定の間隔離し列設される。他方のコンクリート型枠ＰＷも足場ＡＳを組んで同様にして組み立てられる。
【００２７】
次に、コンクリート型枠ＰＷにおけるコンクリート型枠パネルＰのコンクリート壁と接する面の鉛直度を、下げ振りによって一端側から順に測定する。そして、例えばコンクリート型枠パネルＰが鉛直面に対し足場ＡＳ側とは反対側へ少し傾斜しているときは、前記支持部材２における回動腕１９を回して調整ボルト１７を支持管１６内に必要量後退させる。これにより、調整具Ａが縮んで短くなりコンクリート型枠パネルＰが鉛直に支持される。逆に、コンクリート型枠パネルＰにおけるコンクリート壁と接する面が鉛直面に対して足場ＡＳ側へ少し傾斜しているときは、調整ボルト１７を支持管１６から必要量進出させる。これにより、調整具Ａが伸びて長くなりコンクリート型枠パネルＰが鉛直になる。このようにして、各コンクリート型枠パネルＰの検査・修正を行い、完了した状態で両コンクリート型枠ＰＷ間に生コンクリートを打設する。
【００２８】
横締め鋼管Ｋが図６（イ）に示すように外周の一辺６０ｍｍの断面正方形状の鋼管Ｋ１である場合も、前記と同様にその鋼管Ｋ１にその下側から挟着部材１を被せて締付螺子１０を締め付け、その先端を鋼管Ｋ１の外周面に当接させる。これにより、鋼管Ｋ１に挟着部材１が取着される。同様に、横締め鋼管Ｋが図６（ロ）に示すように外周の横寸法６０ｍｍ、縦寸法３０ｍｍの断面横長長方形状の鋼管Ｋ２である場合も、該鋼管Ｋ２にその下側から挟着部材１を被せて締付螺子１０を締め付け、その先端を鋼管Ｋ２の外周面に当接させる。これにより、鋼管Ｋ２に挟着部材１が取着される。いずれの場合も、第二板部４の対向面６から螺子孔９の中心軸線Ｏ２までの寸法、すなわち締付螺子１０の中心軸線Ｏ２までの寸法、が所定の寸法（第二板部４の対向面６から２５ｍｍ離れた位置）に設定され、挟着部材１が鋼管Ｋ１，Ｋ２の外周壁から外れることがなく、しっかりと挟着される。
【００２９】
同様に、横締め鋼管Ｋが図６（ハ）に示すように外径４８ｍｍの断面円形状の鋼管Ｋ３である場合も、前記と同様に該鋼管Ｋ３にその下側から挟着部材１を被せて締付螺子１０を締め付け、その先端を鋼管Ｋ３の外周面に当接する。これにより、鋼管Ｋ３に挟着部材１が取着される。この場合も、円管である鋼管Ｋ３の外周面の一部が第一板部３の凹窪条部７に嵌り、締付螺子１０の先端面は円管である鋼管Ｋ３における第二板部４の対向面６と平行な直径に沿って鋼管Ｋ３を押圧することになるので、該鋼管Ｋ３が挟着部材１から外れるようなことはない。
【００３０】
図示は省略するが、例えばマンションのベランダ周囲のコンクリート縦壁を成形する場合のコンクリート型枠パネルにあっては、調整具Ａの支持部材２がそのベランダの床面に固定部材である固定具を介して固定される。この場合は、水平に取着される挟着部材１に対し、支持部材２が下方に傾斜して固定されることになる。このため、図３鎖線に示すように、支持部材２が差込ボルト１１ｂを中心として該差込ボルト１１ｂの中心軸線に対して直交する面内、すなわち第一板部３の対向面５及び第二板部４の対向面６に対し直交する面（鉛直面内）内、で自在に回動するようにしてある。また、挟着部材１は横締め鋼管Ｋにその下側から被せるようにして取着したが、挟着部材１を上下逆にした状態で、横締め鋼管Ｋにその上側から被せるように取着しても良い。
【００３１】
図７、図８に示すものは他の実施の形態に係る調整具であって、該調整具Ａ１は、本実施の形態と第一板部の形状のみが相違し、他の部位は同じ構成からなるので、同一部位は同一符号を付して、詳しい説明は省略する。すなわち、この実施の形態にあっては、第一板部２０の上部すなわち第二板部４から遠ざかる方向の先端部に第三板部８側へ突出する突起部２１が一体に設けられている。第三板部８と対向する突起部２１の受面２１ａと第一板部２０の対向面２０ａは互いに平行であってかつ第二板部４の対向面６と直交している。よって、突起部２１から第二板部４の対向面６に至るまでの間が窪んだ状態になる。また、その間の寸法は４０ｍｍ、突起部２１の受面２１ａにおける第二板部４の対向面６に対して直交する方向に沿った寸法は１２ｍｍに設定される。
【００３２】
前記他の実施の形態における調整具Ａ１も、本実施の形態の調整具Ａと同様にして使用される。横締め鋼管Ｋが図８（イ）に示すように外周の一辺５０ｍｍの断面正方形状の鋼管Ｋである場合は、その鋼管Ｋにその下側から挟着部材２２を被せて締付螺子１０を締め付けると、該鋼管Ｋにおける一側面の上端部が突起部２１の受面２１ａに当接し、鋼管Ｋにおける他側面の中央部に締付螺子１０の先端が当接する。これにより、挟着部材２２が鋼管Ｋに取着される。横締め鋼管Ｋが図８（ロ）に示すように外周の一辺６０ｍｍの断面正方形状の鋼管Ｋ１である場合は、その鋼管Ｋ１にその下側から挟着部材２２を被せて締付螺子１０を締め付けると、該鋼管Ｋ１における一側面の上部が突起部２１の受面２１ａに当接し、鋼管Ｋ１における他側面の中央より少し下方部に締付螺子１０の先端が当接する。これにより、挟着部材２２が鋼管Ｋ１に取着される。
【００３３】
また、横締め鋼管Ｋが図８（ハ）に示すように外周の横寸法６０ｍｍ、縦寸法３０ｍｍの断面横長長方形状の鋼管Ｋ２である場合は、その鋼管Ｋ２にその下側から挟着部材２２を被せて締付螺子１０を締め付けると、該鋼管Ｋ２における一側面全体が第一板部２０の対向面２０ａに当接し、鋼管Ｋ２における他側面の上端部に締付螺子１０の先端が当接する。更に、横締め鋼管Ｋが図８（ニ）に示すように外径４８ｍｍの断面円形の鋼管Ｋ３である場合は、該鋼管Ｋ３にその下側から挟着部材２２を被せて締付螺子１０を締め付けると、断面円形の鋼管Ｋ３の外周一側面が第一板部２０の対向面２０ａに当接し、その窪んだ部分に嵌った状態となり、該鋼管Ｋ３の外周他側面に締付螺子１０の先端が当接する。これら当接点を結んだ線は断面円形の鋼管Ｋ３の中心を通ることになり、しかも、第二板部４の対向面６と平行をなす。また、鋼管Ｋ３の上部一側が突起部２１に当たるようになっており、これに邪魔されて該断面円形状の鋼管Ｋ３が外れない。
【００３４】
図９、図１０も他の実施の形態に係る調整具であって、しかも、該調整具Ａ２も本実施の形態に係る調整具Ａと構成がほとんど同じなので、同一部位は同一符号を附すことにより詳しい説明は省略する。この調整具Ａ２における挟着部材２３は、金属製であって、Ｌ型に屈曲して互いに向き合い隣り合う面、すなわち対向面５，６が直交する第一板部３と第二板部４とを有する。第一板部３は、第二板部４の対向面６から所定の高さを有する。この所定の高さとは、少なくとも断面円形状の横締め鋼管Ｋ３の半径以上の寸法を必要とする。また、第二板部４に、第一板部３と所定の間隔離し対峙するようにして同じ側へ突出する平行な第三板部８が一体に設けられている。これら第一板部３と第三板部８との間に、横締め鋼管Ｋを介在させることになる。第一板部３の対向面５に、第二板部４の対向面６と平行な凹窪条部７が形成される。該凹窪条部７に横締め鋼管Ｋである断面円形状の鋼管Ｋ３の外周面の一部が嵌まり込むようになっており、その長手方向に沿った中心線Ｏ１は、第二板部４の対向面６から所定の寸法離れた位置、すなわち、第二板部４の対向面６から２５ｍｍ離れた位置にある。
【００３５】
前記第三板部８に第一板部３の対向面５と直交する螺子孔９が貫設され、その螺子孔９の中心軸線Ｏ２が第二板部４の対向面６から所定の高さ離れている。該螺子孔９に、頭部を第三板部８の外側に位置させるようにして締付螺子１０が螺合される。また、第二板部４における第三板部８寄りの端部に、支持部材２を接続させるための接続機構２４が設けられる。該接続機構２４は、第二板部４から第三板部８とは逆向きに突出しかつ中央部に支持孔２６が開設された第四板部２５と、平面コ字型に形成され主板２７ａの両側から一対の側板２７ｂ，２７ｂが延設されると共に、主板２７ａの中央に保持孔２９が開設され対向する両側板２７ｂ，２７ｂに通孔３０，３０が開設された大型のコ字型大金具２７と、同じく平面コ字型に形成され主板２８ａの両側から一対の側板２８ｂ，２８ｂが延設されると共に、主板２８ａの中央に保持孔３４が開設され対向する両側板２８ｂ，２８ｂに通孔３５，３５が開設された小型のコ字型小金具２８と、前記第四板部２５の支持孔２６とコ字型大金具２７における主板２７ａの保持孔２９に挿通される短杆３１と、前記コ字型大金具２７及びコ字型小金具２８の通孔３０，３５に挿通される差込ボルト３２と、該差込ボルト３２に螺合する締付ナット３３と、から構成されている。
【００３６】
そして、コ字型大金具２７における主板２７ａの外側面と第四板部２５における外側面を重ねると共に、連通する支持孔２６と保持孔２９とに短杆３１を抜脱不能に挿通する。これにより、コ字型大金具２７が第四板部２５の外側面に沿って回転することになる。このため、第四板部２５の外側面と第三板部８の外側面とは同一面となるようにしてある。次に、コ字型大金具２７の開放側とコ字型小金具２８の開放側を対向させてコ字型大金具２７における両側板２７ｂ，２７ｂ間にコ字型小金具２８における両側板２８ｂ，２８ｂが位置するようにしてコ字型小金具２８を介在させる。そして、それぞれの側板２７ｂ，２８ｂに開設された通孔３０，３５に差込ボルト３２を遊嵌すると共に該差込ボルト３２にナット３３を螺合することにより接続機構２４が組み付けられる。これにより、コ字型大金具２７が第三・四板部８，２５の外側面に沿って回転し、コ字型小金具２８が差込ボルト３２の中心軸線に対し直交する面内で回転することになる。最後に、支持部材２側の調整ボルト１７を、接続機構２４のコ字型小金具２８の保持孔３４に遊嵌する。
【００３７】
他の実施の形態に係る調整具Ａ２は上記構成からなり、前記と同様にして横締め鋼管Ｋに取着して使用される。該他の調整具Ａ２は、挟着部材２３に対しコ字型大・小金具２７，２８が３次元的に自在に回動することになるので、前記床面Ｂのコンクリート型枠ＰＷは言うに及ばず、例えばベランダのコンクリート型枠のように調整具Ａ２における支持部材２が床面Ｂに固定される場合に使い勝手が良い。
【００３８】
このように、本発明に係る調整具Ａ〜Ａ２は、第一板部３，２０と第二板部４との両対向面５，６，２０ａに横締め鋼管Ｋの外周面を当接した状態で、第三板部８の螺子孔９に螺合した締付螺子１０の先端を横締め鋼管Ｋの外周面に押し当て、第一板部３，２０と締付螺子１０とにより横締め鋼管Ｋを両側から締付固定するようにしたので、円形状や長方形状といった断面形状の異なる横締め鋼管Ｋのいずれにも支障なく容易に取着できる。しかも、一つの調整具Ａ〜Ａ２で複数の横締め鋼管Ｋ、Ｋ１〜Ｋ３に取着できることから、製作に多くの面倒が掛からず、制作費も低廉に成し得る。また、一種類しかないので、その管理も容易である。
【００３９】
また、第一板部３の対向面５に、溝幅方向の中心位置が第二板部４の対向面６から螺子孔９に螺合する締付螺子１０の中心軸線Ｏ２と同じ高さ寸法となるようにして第二板部４の対向面６と平行な凹窪条部７を設けるようにしたので、断面形状が円形の横締め鋼管Ｋ３に挟着した場合、該鋼管Ｋ３の外周面の一部が凹窪条部７内に嵌まり込み、使用中に鋼管Ｋ３から調整具Ａが外れる心配がなく安全である。
【００４０】
更に、コンクリート型枠パネルＰの外側面に水平に添設固定した横締め鋼管Ｋに挟着部材１を取着してなる状態で、支持部材２が調整ボルト１７の一端側を中心として上下に回動するように軸支されるので、支持部材２が水平面に対し自在に傾斜するようになり、使い勝手が良い。
【符号の説明】
【００４１】
１              挟着部材
２              支持部材
３              第一板部
４              第二板部
５              対向面
６              対向面
７              凹窪条部
８              第三板部
９              螺子孔
１０            締付螺子
１１            接続機構
１６            支持管
１７            調整ボルト
１８            ナット
Ａ〜Ａ２        調整具
ＡＳ            固定部材（足場）
Ｋ，Ｋ１〜Ｋ３  横締め鋼管
Ｏ１            中心線
Ｏ２            中心軸線
Ｐ              コンクリート型枠パネル
【図１】
2011058316.tif 000003
【図２】
2011058316.tif 000004
【図３】
2011058316.tif 000005
【図４】
2011058316.tif 000006
【図５】
2011058316.tif 000007
【図６】
2011058316.tif 000008
【図７】
2011058316.tif 000009
【図８】
2011058316.tif 000010
【図９】
2011058316.tif 000011
【図１０】
2011058316.tif 000012